(57)【特許請求の範囲】
【請求項１】
バレル部，該バレル部に設けられた装弾室部，該装弾室部に装填される弾丸を収納する弾倉部、及び、トリガー部が設けられたフレーム部と、
受圧部を有して上記フレーム部に配され、上記装弾室部に向かう第１の方向への移動及び該第１の方向とは逆の第２の方向への移動が可能とされた可動部材と、
該可動部材の移動方向に沿う方向の移動が可能とされて上記可動部材に係合し、上記トリガー部の操作に応じて、上記可動部材に上記第１の方向への移動を行わせるべく移動する駆動機構部と、
ガス導出通路部が連結されて成り、上記トリガー部の操作に応じた上記駆動機構部の移動により、上記ガス導出通路部にガスを供給するガス供給状態をとるものとされるガス供給制御部と、
上記可動部材に係合し、該可動部材に対して移動可能に配され、上記装弾室部にガスを導く第１のガス通路部と上記受圧部にガスを導く第２のガス通路部とを形成するガス通路形成部と、
該ガス通路形成部内に移動可能に配され、上記トリガー部の操作に応じた上記駆動機構部の移動により上記ガス供給制御部が上記ガス供給状態をとる期間において、上記第１のガス通路部を開状態とするとともに上記第２のガス通路部を閉状態として上記ガス導出通路部に得られるガスを上記第１のガス通路部を通じて上記装弾室部に供給する第１の状態から、上記第１のガス通路部を閉状態とするとともに上記第２のガス通路部を開状態として上記ガス導出通路部に得られるガスを上記第２のガス通路部を通じて上記受圧部に作用させ、上記可動部材を上記駆動機構部を伴って上記第２の方向へ移動させて、上記弾倉部からの弾丸の上記装弾室部への供給のための準備を行う第２の状態に移行する可動弁部材と、
を備えて構成される玩具銃。
【請求項２】
上記弾倉部に収納される弾丸が、潰れると塗料を放出する塗料内蔵弾とされることを特徴とする請求項１記載の玩具銃。
【請求項３】
上記可動部材が、上記受圧部と上記ガス通路形成部との間に可変容積圧力室を形成しつつ上記第２の方向に移動するものとされることを特徴とする請求項１記載の玩具銃。
【請求項４】
上記ガス供給制御部が、外部からのガスが導入されるガス室と、上記駆動機構部の位置に応じて、上記ガス室から上記ガス導出通路部へのガス流を遮断する閉状態と上記ガス室から上記ガス導出通路部へのガス流を生じさせる開状態とを選択的にとる開閉弁と、を備えて構成されることを特徴とする請求項１記載の玩具銃。
【請求項５】
上記ガス供給制御部が、充填されたガスを貯留する蓄圧室と、上記駆動機構部の位置に応じて、上記蓄圧室から上記ガス導出通路部へのガス流を遮断する閉状態と上記蓄圧室から上記ガス導出通路部へのガス流を生じさせる開状態とを選択的にとる開閉弁と、を備えて構成されることを特徴とする請求項１記載の玩具銃。
【発明の詳細な説明】
【０００１】
【発明の属する技術分野】
本願の特許請求の範囲に記載された発明は、装弾室部に装填された弾丸の発射及び装弾室部への弾丸の自動供給が、ガス圧の作用により行われるものとされたもとで、装弾室部に装填されて発射される弾丸が、例えば、潰れると塗料を放出する塗料内蔵弾とされる玩具銃に関する。
【０００２】
【従来の技術】
トリガーの操作に応じて、バレルから弾丸が発射され、それに加えて、バレルに沿って配されたスライダが次弾供給のため移動するようになされた遊戯銃（エアソフトガン）と称される玩具銃の分野において、バレルの後方側部分に設けられた装弾室に装填された弾丸の発射をガス圧を利用して行うとともに、スライダの移動による装弾室に対する弾丸の自動供給もガス圧を利用して行うものが知られている。
【０００３】
このような玩具銃にあっては、一般に、例えば、グリップ内に複数の弾丸を収容できる弾倉とガスを貯留する蓄圧室とが設けられ、装弾室に装填された弾丸が、グリップ内に設けられた蓄圧室からのガス圧が利用されて発射されると、その都度、蓄圧室からのガス圧がさらに利用されて、スライダのバレルに沿う方向の後退及びそれに続く前進が行われ、それによりグリップに設けられた弾倉に収容された弾丸が、空になった装弾室に供給されて、自動連射が可能とされる。斯かるガス圧が利用されて装弾室に装填された弾丸の発射と装弾室に対する弾丸の供給とが行われるようにされた玩具銃においては、通常、蓄圧室に貯留されるガスが低圧の液化ガスとされるとともに、装弾室に装填される弾丸が、例えば、６mm程度とされる比較的小なる直径を有した、ＢＢ弾と称されるプラスチック製の模擬弾とされる。
【０００４】
一方、上述のような直径が６mm程度とされる模擬弾が用いられる玩具銃とは別に、例えば、１７mm程度と、１０mmを越える比較的大なる直径を有するとともに、容易に潰れて塗料を放出する、ペイント弾と通称される塗料内蔵弾（以下、ペイント弾という）が用いられる玩具銃も知られている（例えば、非特許文献１参照。）。
【０００５】
【非特許文献１】
『月刊Ｇｕｎ１０月号』、１９９２年１０月１日発行、発行所：国際出版株式会社、６６〜７５頁
【０００６】
上述の非特許文献１に記載されたような、直径が比較的大とされるとともに、塗料を内蔵することにより重さも比較的大とされたペイント弾が用いられる玩具銃においては、高圧の炭酸ガス（ＣＯ2 ガス）が充填されたガス・タンクがフレームに配されるとともに、複数のペイント弾を収容できるローダーと称されるマガジン（弾倉）が、フィーディング・ポートを介して、バレルの後部にそれより上方側に突出する状態をもって取り付られる。
【０００７】
さらに、アッパー・ボルトとローア・ボルトとが組み付けられて形成された可動部材と、シリンダー部材が形成するエアー・チェンバー内にエグゾースト・バルブが移動可能に配されて形成されたバルブ機構とが、フレームに配される。バルブ機構には、第１及び第２のガス通路とそれらガス通路を連結する連結ガス通路とが設けられている。そして、バレルの後部に装填されたペイント弾を発射させるべくトリガーが引かれると、可動部材がそれに作用するスプリング部材の付勢力により前進して、バルブ機構に設けられた第１のガス通路とバレルとを連通させるとともに、エグゾースト・バルブを、ガス・タンクからのガス圧を連結ガス通路に導入させない位置から、ガス・タンクからのガス圧を連結ガス通路に導入させる位置に移動させる。それにより、ガス・タンクからのガス圧が連結ガス通路を通じて第１及び第２のガス通路の両者に流入する。第１のガス通路に流入したガス圧はバレル内に導かれて、ペイント弾の発射に供される。
【０００８】
そして、ペイント弾が発射されると、その前進によってフィーディング・ポートをバレルに対して閉状態となす位置をとるものとされた可動部材が、バルブ機構に設けられた第２のガス通路を通じて作用せしめられるガス・タンクからのガス圧が大となって後退せしめられる。それにより、エグゾースト・バルブが、ガス・タンクからのガス圧を連結ガス通路に導入させる位置から、ガス・タンクからのガス圧を連結ガス通路に導入させない位置に移動せしめられるとともに、フィーディング・ポートとバレルの後部とが連通状態にされて、ローダーに収容されたペイント弾のうちの一つが、フィーディング・ポートを通じてバレルの後部へと自重により落下して装填される。従って、バレルの後部に装填されたペイント弾が発射される毎に、空となったバレルの後部に新たなペイント弾が自動供給されることになる。
【０００９】
【発明が解決しようとする課題】
上述のような、実質的に装弾室部とされるバレルの後部に装填されたペイント弾の発射とペイント弾のバレルの後部への供給とが、ガス圧が利用されて行われるようにされた玩具銃にあっては、可動部材の前進によるエグゾースト・バルブの移動によって、ガス・タンクからのガス圧が連結ガス通路を通じて第１のガス通路に導入され、ペイント弾の発射に供されるとき、ガス・タンクからのガス圧の一部が、連結ガス通路を通じて第２のガス通路にも導入される。しかしながら、斯かる第２のガス通路へのガス圧の導入は、その導入開始から第１のガス通路に導入されたガス圧によりペイント弾が発射されるまでの期間においては、実質的に連結ガス通路からのガス圧の漏出であって、ペイント弾の発射に供されるべくガス・タンクから連結ガス通路へと導出されるガス圧の一部が失われることになる。そして、このようにペイント弾の発射に供されるべきガス圧の一部が失われる事態がまねかれる構成がとられる玩具銃にあっては、高圧のガスが使用されることが要され、それゆえ、重さが比較的大とされるペイント弾の発射が確実に行われるようにすべく、ガス供給源とされるガス・タンクが、高圧ガス、例えば、ＣＯ2 ガスが充填されるものとされることになる。
【００１０】
従って、ペイント弾の発射と装弾室部への供給とがガス圧が利用されて行われるようにされた玩具銃において、装弾室部に装填されたペイント弾の発射に供されるべきガス圧の一部が失われる事態が回避され、それに伴い、低圧のガスが使用されるもとにあっても、装弾室部に装填されたペイント弾の発射が確実に行われるものとされることが望まれるが、従来にあっては、このような要求が満たされるようにされた玩具銃は見当たらない。
【００１１】
斯かる点に鑑み、本願の特許請求の範囲に記載された発明は、バレル部に設けられた装弾室部に装填された弾丸の発射とその装弾室部に対する弾丸の供給とが、ガス圧が利用されて行われるようにされるもとで、弾丸の装弾室部からの発射に供されるべきガス圧の一部が失われてしまう事態がまねかれないものとなすことができ、装弾室部に装填される弾丸が重さが比較的大とされるペイント弾とされ、かつ、使用されるガスが、例えば、ＣＯ2 ガスに比して低圧である低圧ガスとされるときにも、装弾室部に装填されたペイント弾の発射を確実に行うことができるようにされた玩具銃を提供する。
【００１２】
【課題を解決するための手段】
本願の特許請求の範囲における請求項１から請求項５までのいずれかに記載された発明に係る玩具銃は、バレル部，バレル部に設けられた装弾室部，装弾室部に装填される弾丸を収納する弾倉部、及び、トリガー部が設けられたフレーム部と、受圧部を有してフレーム部に配され、装弾室部に向かう第１の方向への移動及び第１の方向とは逆の第２の方向への移動が可能とされた可動部材と、可動部材の移動方向に沿う方向への移動が可能とされて可動部材に係合し、トリガー部の操作に応じて、可動部材に第１の方向への移動を行わせるべく移動する駆動機構部と、ガス導出通路部が連結されて成り、トリガー部の操作に応じた駆動機構部の移動により、ガス導出通路部にガスを供給するガス供給状態をとるものとされるガス供給制御部と、可動部材に係合し、その可動部材に対して移動可能に配され、装弾室部にガスを導く第１のガス通路部と受圧部にガスを導く第２のガス通路部とを形成するガス通路形成部と、ガス通路形成部内に移動可能に配され、トリガー部の操作に応じた駆動機構部の移動によりガス供給制御部がガス供給状態をとる期間において、第１のガス通路部を開状態とするとともに第２のガス通路部を閉状態としてガス導出通路部に得られるガスを第１のガス通路部を通じて装弾室部に供給する第１の状態から、第１のガス通路部を閉状態とするとともに第２のガス通路部を開状態としてガス導出通路部に得られるガスを第２のガス通路部を通じて受圧部に作用させ、可動部材を駆動機構部を伴って第２の方向へ移動させて、弾倉部からの弾丸の装弾室部への供給のための準備を行う第２の状態に移行する可動弁部材と、を備えて構成される。
【００１３】
特に、本願の特許請求の範囲における請求項２に記載された発明に係る玩具銃は、弾倉部に収納される弾丸が、潰れると塗料を放出するペイント弾とされる。
【００１４】
上述のように構成される本願の特許請求の範囲における請求項１から請求項５までのいずれかに記載された発明に係る玩具銃にあっては、可動部材に係合した駆動機構部がトリガー部の操作に応じて第１の方向に沿う方向に移動し、それによって可動部材を第１の方向に移動させる。それに伴って、可動部材に配されるとともに可動弁部材を内蔵するガス通路形成部も第１の方向に移動し、ガス通路形成部が、それが形成する第１及び第２のガス通路部をガス導出通路部に連通させ得る位置におかれる。また、このとき、トリガー部の操作に応じて第１の方向に沿う方向に移動する駆動機構部により、ガス供給制御部がガス導出通路部にガスを供給するガス供給状態をとるものとされ、ガス導出通路部を通じたガスがガス通路形成部へと供給される。ガス通路形成部内においては、ガス供給制御部がガス供給状態をとる期間において、可動弁部材が、先ず、第１のガス通路部を開状態とするとともに第２のガス通路部を閉状態とする第１の状態をとって、ガス導出通路部を通じたガスを第１のガス通路部を通じて装弾室部に供給し、次に、第１のガス通路部を閉状態とするとともに第２のガス通路部を開状態とする第２の状態をとって、ガス導出通路部を通じたガスを第２のガス通路部を通じて受圧部に作用させる。可動弁部材が第１の状態をとるもとで第１のガス通路部を通じて装弾室部に供給されるガスは、装弾室部に装填されている弾丸の発射に供される。斯かる弾丸の発射、即ち、装弾室部からの弾丸の移動は、ガス通路形成部内におけるガス圧を低下させ、そのガス圧の低下に応じて可動弁部材が移動して、第１の状態から第２の状態への移行を生じる。そして、可動弁部材が第２の状態をとるもとで第２のガス通路部を通じて受圧部に作用するガスは、可動部材を駆動機構部を伴って第２の方向に移動させ、弾倉部から装弾室部への弾丸の供給を準備する状態がとられる。
【００１５】
従って、トリガー部の操作に応じて移動して可動部材を第１の方向に移動させる駆動機構部により、ガス通路形成部がそれが形成する第１及び第２のガス通路部をガス導出通路部に連通させ得る位置におかれる状態、及び、ガス供給制御部がガス導出通路部にガスを供給する状態であるガス供給状態が確実にとられる。そして、ガス通路形成部内においては、可動弁部材によって、ガス導出通路部を通じたガスが第１のガス通路部を通じて装弾室部に供給されるとき、第２のガス通路部が閉状態とされていて、第２のガス通路部にガスが流入する事態の防止が図られている。それにより、装弾室部に装填されている弾丸の発射に供されるべきガス圧の一部が失われてしまう事態が確実に回避され、ガス導出通路部を通じたガスが弾丸の発射に有効に利用される。その結果、弾倉部から装弾室部に供給される弾丸が、例えば、その重さが比較的大とされるペイント弾とされるとともに、ガス供給制御部からガス導出通路部に低圧のガスが供給されるものとして構成される場合にも、当該ペイント弾の装弾室部からの発射を確実に行うことが可能とされる。
【００１６】
【発明の実施の形態】
図１は、本願の特許請求の範囲における請求項１から請求項４までのいずれかに記載された発明に係る玩具銃の一例を示す。
【００１７】
図１に示される例においては、バレル部２，バレル部２の後方側部分に設けられた装弾室部４，弾倉部５，ガス室８，可動部材１０，トリガー部３０、及び、グリップ部３１が設けられたフレーム部４０が備えられている。弾倉部５は、装弾室部４の上方に位置し、例えば、略１１mmとされる比較的大なる直径を有するとともに潰れると塗料を放出するペイント弾Ｐを複数個収容できるものとされている。また、弾倉部５には、それに収納されるペイント弾Ｐの直径より若干大なる直径を有して装弾部４を臨む弾丸排出口５ａが設けられており、その弾丸排出口５ａを通じて、一つのペイント弾Ｐがその自重により装弾室部４に落下することにより、装弾室部４にペイント弾Ｐが供給される。
【００１８】
自重によって弾倉部５から装弾室部４に落下したペイント弾Ｐにあっては、装弾室部４内において、導入位置４ａとそれより前方の装填位置４ｂとをとる。装弾室部４内の導入位置４ａにおけるペイント弾Ｐの位置決めは、一対の小突起部３２( 図には一方のみがあらわされている) を有して装弾室部４に配された係止部材と、後述されるガス流制御機構部５０とによって行われる。また、装弾室部４内の装填位置４ｂにおけるペイント弾Ｐの位置決めは、装弾室部４に配された環状シール部材３３とガス流制御機構部５０とによって行われる。
【００１９】
ガス室８には、ガス導出通路部３４が連結されている。そして、ガス導出通路部３４には、バレル部２に沿う方向の移動が可能とされた開閉弁３５が配されている。ガス導出通路部３４は、ガス室８から上方に向けて伸びるものとされ、装弾室部４の近傍において開口する上方開口部３４ａを有している。斯かるガス導出通路部３４は、それに配された開閉弁３５により開閉制御されて、ガス室８に連通する開状態もしくはガス室８との間が遮断される閉状態におかれる。
【００２０】
開閉弁３５は、ガス室８内に入り込んだ弁機能部３５ａと、コイルスプリング３６が巻装されたピストン部３５ｂとを有しており、コイルスプリング３６によって、ガス導出通路部３４を閉状態となす方向に付勢されている。さらに、開閉弁３５におけるピストン部３５ｂには、ロック部材３８が昇降動可能に挿通したものとして設けられている。ロック部材３８は、各々が比較的大径とされた上端部及び下端部とを有し、下端部内にはコイルスプリング３９が配されている。コイルスプリング３９は、ロック部材３８にそれを上昇動させる方向の付勢力を作用させている。
【００２１】
開閉弁３５は、図１に示される如くの、弁機能部３５ａによってガス導出通路部３４を閉状態となす位置をとるとき、ピストン部３５ｂをロック部材３８の下端部にその上方側から当接させて、ロック部材３８のコイルスプリング３９の付勢力に従う上昇動を阻止し、ロック部材３８に下方位置を維持させる。
【００２２】
さらに、ガス室８には、ガス供給通路部４１が連通しており、ガス供給通路部４１には、例えば、ガスボンベとされる外部ガス供給源から伸びるパイプ４２が連結される。ガス供給通路部４１は、外部ガス供給源からパイプ４２を通じて供給されるガスをガス室８に導入する。
【００２３】
可動部材１０は、バレル部２の後方においてバレル部２に沿う方向に伸びるものとしてフレーム部４０に形成された孔１１に係合しており、装弾室部４に向かう方向への移動及びその逆の装弾室部４から離隔する方向への移動が可能なものとされている。そして、斯かる可動部材１０に対して、ガス流制御機構部５０が、その一部が可動部材１０内に挿入された状態とされて、バレル部２に沿う方向に移動可能に配されている。また、可動部材１０には、それに対する駆動機構部１５が連結されている。駆動機構部１５は、可動部材１０に機械的に係合した移動部材１６と移動部材１６に設けられて移動部材１６の後端部に開口する孔１７内からその外部に伸びるコイルスプリング４３とを備えて構成されている。移動部材１６の下方部分には、係合段部１８が設けられている。
【００２４】
駆動機構部１５に関連して、フレーム部４０における孔１１の下方となる部分に、バレル部２に沿う方向に伸びる有底筒状ガイド部４４が設けられ、さらに、その後方に軸部４５が設けられている。有底筒状ガイド部４４は、その底部に、開閉弁３５のピストン部３５ｂが移動可能に挿通せしめられる透孔４６が設けられたものとされている。そして、軸部４５は、フレーム部４０における後方側部分から有底筒状ガイド部４４に向かって突出している。
【００２５】
駆動機構部１５を構成する移動部材１６は、その前端部側から有底筒状ガイド部４４内に挿入されるものとされている。また、駆動機構部１５を構成するコイルスプリング４３は、フレーム部４０に設けられた軸部４５に巻装されて、移動部材１６に設けられた孔１７内に挿入された部分を有するものとされている。それにより、コイルスプリング４３は、移動部材１６に、有底筒状ガイド部４４により案内されたもとで、可動部材１０を伴って前進する方向の付勢力を作用させている。
【００２６】
可動部材１０は、その前方側部分を成す筒状部１２と筒状部１２に連なって設けられた有底筒状部１３とを有している。筒状部１２は、それが形成する内部空間の径が、有底筒状部１３が形成する内部空間の径より大とされるとともに、比較的肉厚とされた前端部１２ａが設けられたものとされている。有底筒状部１３は、その底部がガス室８からのガス圧が選択的に作用せしめられる第１の受圧部１４を形成するものとされている。斯かる第１の受圧部１４を形成する有底筒状部１３の底部には、ピストンプランジャー２０とそれに付勢力を作用させるコイルスプリング２１とが配される収納部が設けられており、ピストンプランジャー２０における前端面部は、ガス室８からのガス圧が選択的に作用せしめられる第２の受圧部２２を形成している。即ち、可動部材１０は、第１の受圧部１４とピストンプランジャー２０に設けられた第２の受圧部２２とを有しているのである。
【００２７】
可動部材１０に移動可能に配されたガス流制御機構部５０は、第１のガス通路部５１，第２のガス通路部５２、及び、第１のガス通路部５１と第２のガス通路部５２とを連結する連結通路部５３を形成するガス通路形成部５５を備えている。そして、ガス流制御機構部５０は、ガス通路形成部５５における第２のガス通路部５２を形成する部分と可動部材１０の筒状部１２における前端部１２ａとの間に配されたコイルスプリング４７により、有底筒状部１３における底部に向かう方向に付勢されている。
【００２８】
ガス通路形成部５５における第１のガス通路部５１は、連結通路部５３から装弾部４に向けて伸び、装弾部４に対して開口するものとされている。また、ガス通路形成部５５における第２のガス通路部５２は、連結通路部５３から第２の受圧部２２に向けて伸びて、第１及び第２の受圧部１４及び２２に対して開口するものとされている。ガス通路形成部５５は、第２のガス通路部５２を形成する部分が、孔１１内に摺動可能に挿入されていて、可動部材１０の移動方向に沿う方向、即ち、バレル部２に沿う方向の移動が可能なものとされている。斯かるガス通路形成部５５における第２のガス通路部５２を形成する部分には、弾性部材によって形成された環状シール部材５６が装着されている。環状シール部材５６は、有底筒状部１３の筒状内壁面に当接して、その筒状内壁面と、ガス通路形成部５５における第２のガス通路部５２を形成する部分の外周面との間を密封する。
【００２９】
さらに、ガス流制御機構部５０は、ガス通路形成部５５内に配され、第１のガス通路部５１内を伸びる整流板部分５７と、整流板部分５７の後端側に設けられて連結通路部５３に配された弁機能部５８とを有した可動弁６０を備えている。整流板部分５７は、第１のガス通路部５１を通じるガスを整流する複数の整流板が相互連結されて構成されている。弁機能部５８の後方側にはコイルスプリング６１が係合せしめられている。斯かる整流板部分５７及び弁機能部５８を有した可動弁６０は、その弁機能部５８によって第１のガス通路部５１と第２のガス通路部５２とを開閉制御するものとされており、コイルスプリング６１によって、装弾室部４に向かう方向に付勢されている。
【００３０】
トリガー部３０は、軸６５を介してフレーム部４０に回動可能に取り付けられている。トリガー部３０の上端側部は、フレーム部４０に配されたコイルスプリング６６に係合しており、トリガー部３０は、コイルスプリング６６が、例えば、最大伸長状態をとるとき、図１に示される如くの、操作開始位置をとるものとされている。トリガー部３０の後方側部分には、連結部材６７を介して選択的に移動部材１６に連結される板状部６８が配されている。板状部６８は、軸６９を介してトリガー部３０に回動可能に取り付けられていて、軸６９に巻装されたスプリング部材（図にあらわれない）によって、トリガー部３０の後端部から外部に突出する方向に付勢されている。
【００３１】
連結部材６７には、板状部６８に選択的に当接する前方当接部６７ａと、移動部材１６に設けられた係合段部１８に選択的に当接する後方当接部６７ｂとが、設けられている。さらに、連結部材６７における中央部分には、フレーム部４０に設けられた軸７０が挿通せしめられる長孔６７ｃが設けられるとともに、連結部材６７における前方側部には、フレーム部４０に一端が連結されたコイルスプリング７１の他端が連結されている。コイルスプリング７１は、連結部材６７に、それを図１おいて反時計回りに回動させる方向の付勢力を作用させている。従って、連結部材６７は、軸７０が挿通せしめられた長孔６７ｃにより規制される範囲内での、コイルスプリング７１の付勢力に従う変位が可能なものとされている。なお、図示が省略されているが、フレーム部４０には、連結部材６７の変位を規制するストッパ部材が設けられている。
【００３２】
上述のように構成される、本願の特許請求の範囲における請求項１から請求項５までのいずれかに記載された玩具銃の一例にあっては、図１に示されるように、トリガー部３０が操作開始位置をとるもとでは、開閉弁３５が、コイルスプリング３６の付勢力により、ガス導出通路部３４を閉状態としてガス室８からガス導出通路部３４へのガス流を遮断する位置をとって、ロック部材３８に下方位置を維持させる。また、連結部材６７の前方当接部６７ａにその下方側から板状部６８が当接して、連結部材６７のコイルスプリング７１の付勢力に従う方向の回動が規制される。
【００３３】
斯かる際、連結部材６７は、その後方当接部６７ｂを、移動部材１６に設けられた係合段部１８に当接させ、移動部材１６に、可動部材１０が、下方位置をとるロック部材３８の上端部より後方となる基準位置をとるとともに、移動部材１６の前端部が有底筒状ガイド部４４内に僅かに挿入されることになる、初期位置を維持させる。可動部材１０が斯かる基準位置をとるもとにあっては、ピストンプランジャー２０が、コイルスプリング２１の付勢力に従った前進位置をとって、ガス流制御機構部５０におけるガス通路形成部５５の後端部に当接し、それにより、第２のガス通路部５２の開口部を第２の受圧部２２によって閉塞する状態をもって、ガス通路形成部５５に、第１の受圧部１４から若干離隔した位置を維持させる。このような第１の受圧部１４から若干離隔した位置におかれたガス通路形成部５５は、その第１のガス通路５１を形成する部分をガス導出通路部３４の上方開口部３４ａの上方に位置させるものとされる。
【００３４】
さらに、可動部材１０が基準位置をとるもとでは、ガス流制御機構部５０の可動弁６０が、コイルスプリング６１の付勢力に従う前進位置をとるものとされる。それにより、可動弁６０における弁機能部５８が、第１のガス通路部５１を閉状態として連結通路部５３との間を遮断するとともに、第２のガス通路部５２を開状態として連結通路部５３に連通させる位置をとる。それに伴い可動弁６０の整流板部分５７が、その先端部を第１のガス通路部５１から装弾室部４の導入位置４ａ内に突出させる位置をとり、自重によって弾倉部５から装弾室部４内に落下したペイント弾Ｐが、整流板部分５７の先端部が後方側から当接するとともに一対の小突起部３２が左右側から当接するものとされて、装弾室部４の導入位置４ａに位置決めされる。
【００３５】
このようにしてペイント弾Ｐが装弾室部４の導入位置４ａに位置決めされたもとで、トリガー部３０が、それが引かれる操作によって、軸６５を支点としてコイルスプリング６６を圧縮しつつ回動し、図１に示される如くの操作開始位置から、図２に示される如くの操作完了位置に向かうものとされると、それに伴って、板状部６８を介してトリガー部３０に係合している連結部材６７が、コイルスプリング７１の付勢力に抗する方向に回動せしめられる。その結果、連結部材６７における後方当接部６７ｂが、移動部材１６に設けられた係合段部１８から外れ、移動部材１６がコイルスプリング４３の付勢力に従って前進を開始する。このようにして前進する移動部材１６は、機械的に連結された可動部材１０に、その筒状部１２の前端部１２ａを下方位置をとるロック部材３８の上方を通過させる状態をもって装弾室部４に向かう方向に移動（前進）を行わせ、可動部材１０についての駆動を行う。そして、移動部材１６は、有底筒状ガイド部４４内を開閉弁３５に向かって進んで行く。
【００３６】
可動部材１０の前進に伴って、ガス流制御機構部５０が、ガス通路形成部５５における第１のガス通路部５１を形成する部分によって、弾倉部５における弾丸排出口５ａを閉塞するとともに、可動弁６０の整流板部分５７が当接するペイント弾Ｐを、小突起部３２を乗り越えさせる状態をもって、装弾室部４内を導入位置４ａから装填位置４ｂへと搬送する。
【００３７】
前進する可動部材１０は、図３に示されるように、筒状部１２の前端部１２ａがフレーム部４０に設けられた当接部７２に当接することにより、装弾室部４に向かう移動を停止する。このとき、移動部材１６は、開閉弁３５のピストン部３５ｂにその後方側から衝突して、開閉弁３５を、コイルスプリング３６の付勢力に抗する方向に移動させる。それにより、ガス導出通路部３４が、開閉弁３５の弁機能部３５ａによってガス室８との間が遮断された閉状態から、ガス室８に連通する開状態へと移行せしめられる。このような開閉弁３５の、ガス導出通路部３４を閉状態から開状態となす移動に伴い、ロック部材３８が、ピストン部３５ｂよって下方位置を維持する状態から解除されて、コルスプリング３９の付勢力により下方位置から上昇し、上端部を可動部材１０の下方部分に当接させる上方位置をとるものとなる。
【００３８】
可動部材１０をフレーム部４０に設けられた当接部７２に当接させて停止させた移動部材１６は、その前端部を、有底筒状ガイド部４４における透孔４６から所定の距離だけ離隔した位置において開閉弁３５のピストン部３５ｂに当接させて、開閉弁３５に、ガス導出通路部３４を開状態としてガス室８からガス導出通路部３４へのガス流を生じさせる位置を維持させる。その結果、ピストン部３５ｂが、上方位置をとるロック部材３８の下端部にその後方側から当接するものとなる。
【００３９】
さらに、可動部材１０が装弾室部４に向かう移動を停止する際には、ガス流制御機構部５０によって搬送されたペイント弾Ｐが、装弾室部４に設けられた環状シール部材３３に当接し、環状シール部材３３とガス流制御機構部５０とによって装弾室部４における装填位置４ｂに位置決めされる。環状シール部材３３に当接したペイント弾Ｐは、可動弁６０に、コイルスプリング６１の付勢力に抗する方向の押圧力を作用させるとともに、ガス通路形成部５５に、ピストンプランジャー２０に前進位置をとらせるコイルスプリング２１の付勢力に抗する方向の押圧力を作用させる。
【００４０】
それにより、図３に示される如く、可動弁６０が、その弁機能部５８によって、第１のガス通路部５１を開状態として連結通路部５３と連通させるとともに、第２のガス通路部５２を閉状態として連結通路部５３との間を遮断する位置をとる。また、ガス通路形成部５５が、ピストンプランジャー２０にコイルスプリング２１の付勢力に抗した後退位置をとらせて、第１及び第２の受圧部１４及び２２に後端部を当接させる。それにより、第２のガス通路部５２の開口部が継続して第２の受圧部２２によって閉塞される。さらに、ガス通路形成部５５における連結通路部５３が、ガス導出通路部３４にその上方開口部３４ａを通じて連通せしめられる。
【００４１】
一方、移動部材１６に設けられた係合段部１８から後方当接部６７ｂが外れた連結部材６７は、コイルスプリング７１の付勢力により変位せしめられ、図３に示される如くの、板状部６８及び移動部材１６のいずれにも接しない位置において、図示が省略されたストッパ部材により位置規制される。
【００４２】
開閉弁３５によって開状態とされたガス導出通路部３４には、ガス室８からそれに外部ガス供給原から導入されたガスが供給される。即ち、ガス室８，開閉弁３５，コイルスプリング３６，ロック部材３８及びコイルスプリング３９等は、可動部材１０の装弾室部４に向かう移動に伴って、ガス導出通路部３４にガスを供給するガス供給制御部を構成しているのである。そして、ガス導出通路３４に供給されるガス室８からのガスは、ガス導出通路部３４に連通せしめられたガス流制御機構部５０における連結通路部５３に急速に流入する。連結通路部５３に急速に流入したガスは、可動弁６０の弁機能部５８により開状態とされた第１のガス通路部５１を通じて、装弾室部４の装填位置４ｂに導かれる。それにより、環状シール部材３３に当接するペイント弾Ｐにはガス室８からの大なるガス圧が作用し、斯かるガス圧の作用により、ペイント弾Ｐは、図４に示される如くに、装弾室部４から環状シール部材３３を乗り越えてその前方に移動せしめられる。
【００４３】
そして、装弾室部４からその前方のバレル２内に移動せしめられたペイント弾Ｐは、背後からのガス圧の作用を受けてバレル部２の先端に向かって加速されていく。このようにして、ペイント弾Ｐが装弾室部４からその前方側のバレル２内に移動せしめられ、バレル部２内をその先端に向かって加速されていくと、バレル２内におけるペイント弾Ｐの後方の空間が急速に拡大していき、それに伴って、装弾室部４及びガス流制御機構部５０における第１のガス通路部５１におけるガス圧が低下する。このような第１のガス通路部５１におけるガス圧の低下に伴って、ガス流制御機構部５０においては、可動弁６０が、コイルスプリング６１の付勢力により前進するものとなり、その結果、図４に示されるように、可動弁６０の弁機能部５８によって、第１のガス通路部５１が閉状態とされて連結通路部５３との間が遮断されるとともに、第２のガス通路部５２が開状態とされて連結通路部５３に連通せしめられる。斯かる第１のガス通路部５１におけるガス圧の低下に伴って、可動弁６０がその弁機能部５８によって第１のガス通路部５１を閉状態とするとともに第２のガス通路部５２を開状態とする位置をとるまでの間において、バレル部２内を移動したペイント弾Ｐがバレル部２の先端から射出される。
【００４４】
上述のようにして、ガス流制御機構部５０において、第１のガス通路部５１が閉状態とされるとともに、第２のガス通路部５２が開状態とされ、それにより、ガス導出通路部３４が、連結通路部５３を介して、第２のガス通路部５２に連通する状態におかれると、先ず、連結通路部５３及び第２のガス通路部５２を通じたガス室８からガスが、第２のガス通路部５２の開口部を閉塞する第２の受圧部２２に大なるガス圧を作用させる。斯かる第２の受圧部２２に作用する大なるガス圧は、可動部材１０に、それに機械的に連結された移動部材１６を伴っての、コイルスプリング４３の付勢力に抗する後退を生じさせる。それにより、図５に示される如く、第１及び第２の受圧部１４及び２２とガス流制御機構５０との間に可変容積の圧力室８０が形成され、連結通路部５３及び第２のガス通路部５２を通じたガス室８からのガスが、第２の受圧部２２に加えて、第１の受圧部１４にも大なるガス圧を作用させる。このようにして第２のガス通路部５２を通じたガスによる大なるガス圧を第１及び第２の受圧部１４及び２２に受ける可動部材１０は、圧力室８０を拡大させつつ急速に後退する。
【００４５】
このとき、第２の受圧部２２が設けられたピストンプランジャー２０は、第２の受圧部２２とガス流制御機構５０との間に可変容積の圧力室８０が形成されることにより、コイルスプリング２１の付勢力に従う移動が可能となって、後退位置から前進位置に移動する。
【００４６】
ガス圧の作用による可動部材１０の後退に伴い、図５に示されるように、可動部材１０に機械的に連結された移動部材１６が、開閉弁３５のピストン部３５ｂから後方に離隔するものとされる。それにより、開閉弁３５がコイルスプリング３６の付勢力に従う移動を開始するが、斯かる移動は、開閉弁３５のピストン部３５ｂが、上方位置をとるロック部材３８の下端部にその前方側から当接するものとされることによって、直ちに停止せしめられる。その結果、開閉弁３５の弁機能部３５ａがガス導出通路部３４を開状態とする状態が引き続き維持される。
【００４７】
ガス室８からのガス圧の作用により移動部材１６を伴って後退を継続する可動部材１０は、図６に示されるように、移動部材１６を連結部材６７における後方当接部６７ｂに当接させるとともに、筒状部１２における前端部１２ａによって、上方位置をとるロック部材３８をコイルスプリング３９の付勢力に抗する方向に押圧して、上方位置から下方位置に移動させる。
【００４８】
ロック部材３８が上方位置から下方位置に移動せしめられると、開閉弁３５が、コイルスプリング３６の付勢力により移動して、弁機能部３５ａがガス導出通路部３４を開状態としてガス室８に連通させる状態から、弁機能部３５ａがガス導出通路部３４を閉状態としてガス室８との間を遮断する状態に戻る。それにより、ガス室８からガス導出通路部３４へのガスの流入が停止される。そして、ガス導出通路部３４を閉状態とした開閉弁３５のピストン部３５ｂは、下方位置に到達したロック部材３８の下端部にその上方側から当接して、ロック部材３８に下方位置を維持させる。
【００４９】
このようにして、開閉弁３５によりガス導出通路部３４が閉状態とされて、ガス室８から可変容積の圧力室８０へのガスの供給が停止されても、可動部材１０はその慣性によってさらに後退を継続する。そして、移動部材１６を伴って移動する可動部材１０が、図７に示されるように、フレーム部４０における後端部に当接して後退を停止する最後退位置に到達する直前において、ガス通路形成部５５における第２のガス通路部５２を形成する部分が、有底筒状部１３から外れ、ガス流制御機構部５０の全体が、最後退位置に向かう可動部材１０と共に後退せしめられる。
【００５０】
その結果、環状シール部材５６による圧力室８０の密封性が失われ、圧力室８０に残存したガス及び第２のガス通路部５２に残存したガスが、筒状部１２とガス通路形成部５５における第２のガス通路部５２を形成する部分との間に形成される空隙８１を通じて大気中に放出される。第２のガス通路部５２内に残存したガスの大気中への放出は、ガス導出通路部３４との相互連通状態が解除された連結通路部５３を通じても行われる。さらに、ガス通路形成部５５における第１のガス通路部５１を形成する部分が、ガス導出通路部３４における上方開口部３４ａの上方に位置するものとされる。
【００５１】
このようにして、ガス流制御機構部５０内に残存するガス及び可動部材１０内に残存するガスが大気中に放出されるもとで最後退位置に到達した可動部材１０は、移動部材１６頭と共に、直ちにコイルスプリング４３の付勢力により基準位置に向けて前進する状態に転じるとともに、ガス流制御機構部５０が、コイルスプリング４７の付勢力により後退する。コイルスプリング４７の付勢力によるガス流制御機構部５０の後退は、図８に示されるように、ガス通路形成部５５の後端部が前進位置をとるピストンプランジャー２０に当接することにより停止せしめられる。斯かるもとでは、ガス通路形成部５５における第２のガス通路部５２の開口部が第２の受圧部２２によって閉塞されるとともに、ガス通路形成部５５における第１のガス通路部５１を形成する部分が装弾室部４の後方に位置して、弾倉部５における弾丸排出口５ａを装弾室部４における導入位置４ａに連通させる。それにより、ペイント弾Ｐが弾倉部５から装弾室部４における導入位置４ａに落下する。導入位置４ａに落下したペイント弾Ｐは、その後方から当接する可動弁６０における整流板部分５７と一対の小突起部３２とによって位置決めされる。
【００５２】
コイルスプリング４３の付勢力による移動部材１６の前進は、図８に示されるように、移動部材１６に設けられた係合段部１８が連結部材６７の後方当接部６７ｂにその後方側から当接して、連結部材６７をその長孔６７ｃと軸７０とによって規制される範囲内で前進させた後、その連結部材６７により位置規制されることにより、停止せしめられる。移動部材１６が連結部材６７により位置規制されるときには、可動部材１０が、下方位置をとるロック部材３８の上端部より後方となる基準位置におかれるとともに、移動部材１６が、その前端部を有底筒状ガイド部４４内に僅かに挿入させる位置をとるものとなる初期位置におかれる。また、移動部材１６を位置規制する連結部材６７は、その前方当接部６７ａが、トリガー部３０に設けられた板状部６８をその後方側から押圧して、図示が省略されたスプリング部材の付勢力に抗する方向に板状部６８を回動させる。
【００５３】
斯かるもとで、トリガー部３０がそれを引く操作から解放されると、コイルスプリング６６が圧縮状態から最大伸長状態に復帰し、それに伴い、図１に示されるように、トリガー部３０が操作開始位置に復帰せしめられるとともに、板状部６８がそれに作用するスプリング部材の付勢力に従う方向に回動しつつ、連結部材６７を変位させ、連結部材６７の前方当接部６７ａにその下方側から当接して、連結部材６７のコイルスプリング７１の付勢力に従う方向の回動を規制するものとなる。
【００５４】
このようにして連結部材６７が、前方当接部６７ａにその下方側から板状部６８が当接せしめられて、コイルスプリング７１の付勢力に従う方向の回動が規制されるとともに、後方当接部６７ｂを、初期位置をとる移動部材１６に設けられた係合段部１８に当接させて、移動部材１６を位置規制する状態におかれたもとで、操作開始位置をとるトリガー部３０が再び引かれることにより、上述の如くにして、ペイント弾Ｐの装弾室部４からの発射、及び、それに続く装弾室部４へのペイント弾Ｐの供給が行われる。
【００５５】
上述の如くのガス流制御機構部５０が備えられた玩具銃の例にあっては、ペイント弾Ｐの装弾室部４からの発射に際し、ガス流制御機構部５０における第２のガス通路部５２が閉状態とされて、ガス導出通路部３４を通じるガス室８からのガス圧が第２のガス通路部５２に導かれる事態が生じることがなく、それゆえ、ペイント弾Ｐの装弾室部４からの発射に供されるべきガス圧の一部が失われてしまう事態が、確実に回避される。従って、ガス室８からのガス圧が装弾室部４に装填されたペイント弾Ｐに効果的に作用せしめられることにより、ガス室８からガス導出通路部３４に供給されるガスが、例えば、液化ガスとされる低圧ガスとされる場合にあっても、ペイント弾Ｐの装弾室部４からの発射を確実に行わせることが可能とされる。
【００５６】
これよりして、本願の特許請求の範囲に記載された発明に係る玩具銃は、特許請求の範囲における請求項５に記載された発明に係る玩具銃の一例のように、フレーム部４０に、図１〜図８に示される例におけるガス室８に代えて、例えば、低圧の液化ガスが充填される蓄圧室が設けられ、それにより、ガス供給制御手段が、ガス室８に変えて、低圧の液化ガスが充填される蓄圧室を含んで構成されるものとされてもよい。
【００５７】
さらに、ガス流制御機構５０が、可動部材１０に移動可能に配されたガス通路形成部５５とその内部に移動可能に配される可動弁６０とを含んで構成されて、フレーム部４０に直接組み付けられたものとはされていないことにより、ガス流制御機構５０が、それを備える玩具銃を、その構成の複雑化をまねかないもの、さらには、その組立が容易なものとなすことになる。
【００５８】
【発明の効果】
以上の説明から明らかな如く、本願の特許請求の範囲における請求項１から請求項５までのいずれかに記載された発明に係る玩具銃にあっては、可動部材を装弾室部に向かう第１の方向に移動させる駆動機構部のトリガー部の操作に応じた移動により、ガス通路形成部がそれが形成する第１及び第２のガス通路をガス導出通路部に連通させ得る位置におかれるとともに、ガス供給制御部がガス導出通路部にガスを供給するガス供給状態をとる。そして、ガス導出通路部に供給されたガスは、可動部材が第１のガス通路部を開状態とするとともに第２のガス通路部を閉状態とするガス通路形成部内における第１のガス通路部を通じて装弾室部に導かれ、装弾室部に装填されている弾丸の発射に供される。このような弾丸の装弾室部からの移動は、ガス通路形成部内におけるガス圧を低下させ、斯かるガス圧の低下に応じて移動する可動弁部材により、第１のガス通路部が開状態から閉状態とされるとともに第２のガス通路部が閉状態から開状態とされて、ガス導出通路部に供給されたガスが、第２のガス通路部を通じて可動部材に設けられた受圧部に作用する。それにより、可動部材が、駆動機構部を伴って、装弾室部から離隔する第２の方向に移動せしめられて、装弾室部への弾丸の供給を準備する状態がとられる。
【００５９】
従って、本願の特許請求の範囲における請求項１から請求項５までのいずれかに記載された発明に係る玩具銃によれば、トリガー操作に応じて移動して可動部材を装弾室部に向かう第１の方向に移動させる駆動機構部により、ガス通路形成部がそれが形成する第１及び第２のガス通路部をガス導出通路部に連通させ得る位置におかれる状態、及び、ガス供給制御部がガス導出通路部にガスを供給する状態であるガス供給状態が確実にとられるとともに、ガス通路形成部内において、ガス導出通路部に供給されたガスが、第１のガス通路部を通じて装弾室部に供給されるとき、第２のガス通路部が閉状態とされていて、第２のガス通路部にガスが流入する事態の防止が図られ、それにより、装弾室部に装填されている弾丸の発射に供されるべきガス圧の一部が失われてしまう事態が確実に回避され、ガス導出通路部に供給されたガスが弾丸の装弾室部からの発射に有効に利用される。その結果、弾倉部から装弾室部に供給される弾丸が、例えば、その重さが比較的大とされるペイント弾とされるとともに、ガス供給制御部からガス導出通路部に低圧のガスが供給されるものとして構成される場合にも、当該ペイント弾の装弾室部からの発射を確実に行うことができる。
【図面の簡単な説明】
【図１】  本願の特許請求の範囲における請求項１から請求項５までのいずれかに記載された発明に係る玩具銃の一例の構成及び動作の説明に供される断面図である。
【図２】  図１に示される例の構成及び動作の説明に供される断面図である。
【図３】  図１に示される例の構成及び動作の説明に供される断面図である。
【図４】  図１に示される例の構成及び動作の説明に供される断面図である。
【図５】  図１に示される例の構成及び動作の説明に供される断面図である。
【図６】  図１に示される例の構成及び動作の説明に供される断面図である。
【図７】  図１に示される例の構成及び動作の説明に供される断面図である。
【図８】  図１に示される例の構成及び動作の説明に供される断面図である。
【符号の説明】
２・・・バレル部，  ４・・・装弾室部，  ５・・・弾倉部，  ８・・・ガス室，  １０・・・可動部材，  １２・・・筒状部，  １３・・・有底筒状部，  １４・・・第１の受圧部，  １５・・・駆動機構部，  １６・・・移動部材，  １８・・・係合段部，  ２０・・・ピストンプランジャー，  ２１，３６，３９，４３，４７，６１，６６，７１・・・コイルスプリング，  ２２・・・第２の受圧部，  ３０・・・トリガー部，  ３３，５６・・・環状シール部材，  ３４・・・ガス導出通路部，  ３５・・・開閉弁，  ３５ａ，５８・・・弁機能部，３８・・・ロック部材，  ４０・・・フレーム部，  ４４・・・有底筒状ガイド部，  ５０・・・ガス流制御機構部，  ５１・・・第１のガス通路部，  ５２・・・第２のガス通路部，  ５３・・・連結通路部，  ５５・・・ガス通路形成部，  ５７・・・整流板部分，  ６０・・・可動弁，  ６７・・・連結部材，  ６８・・・板状部，  ８０・・・圧力室，  Ｐ・・・ペイント弾
【図１】
0003686402.tif 000002
【図２】
0003686402.tif 000003
【図３】
0003686402.tif 000004
【図４】
0003686402.tif 000005
【図５】
0003686402.tif 000006
【図６】
0003686402.tif 000007
【図７】
0003686402.tif 000008
【図８】
0003686402.tif 000009